(57)【要約】      （修正有）【課題】自然環境にやさしく、持ち易い洗浄用ねじりブラシを提供する。【解決手段】ポリエチレン樹脂によって被覆された被覆金属線２１、２２が複数本撚り合わされてなる軸部３と、軸部の先端部において、撚り合わされた被覆金属線同士の間に挟み込まれて保持され、軸部の径方向外方に向かって突設されてなる多数の毛４を有することにより、樹脂からの自然環境への有害有機物の溶出を防止でき、樹脂で被覆された被覆金属線を洗浄用ねじりブラシに加工した後も被覆膜に割れや欠損などの被覆不良が生じない。【選択図】図１
0003231689.tif 000002
【実用新案登録請求の範囲】
【請求項１】
ポリエチレン樹脂によって被覆された被覆金属線が複数本撚り合わされてなる軸部と、
前記軸部の先端部において、撚り合わされた前記被覆金属線同士の間に挟み込まれて保持され、前記軸部の径方向外方に向かって突設されてなる多数の毛を有する
ことを特徴とする洗浄用ねじりブラシ。
【請求項２】
撚り合わされた前記被覆金属線同士が密着する境界部の前後領域において、前記軸部表面にポリエチレン樹脂層同士の圧着変形による僅かな盛り上がりが形成されてなる
ことを特徴とする請求項１に記載の洗浄用ねじりブラシ。
【請求項３】
前記軸部が、２本の前記被覆金属線が撚り合わされてなる
ことを特徴とする請求項１または２に記載の洗浄用ねじりブラシ。
【考案の詳細な説明】
【技術分野】
【０００１】
本考案は、注射器シリンダーや試験管などの細管を洗浄するために適した洗浄用ねじりブラシに関する。
【背景技術】
【０００２】
従来、洗浄用ねじりブラシは、金属線の先端部分から軸方向外方に向かって多数本からなる毛を取り付けて作製される。
【先行技術文献】
【特許文献】
【０００３】
【特許文献１】実開昭６３−１３２４０
【考案の概要】
【考案が解決しようとする課題】
【０００４】
しかし、金属素材が露出した金属線をそのまま撚り合わせて作製された洗浄用ねじりブラシは、撚り合わされた金属線同士が螺旋状に密着して構成される軸部において軸方向に形成される複数の金属線表面からなる凹凸の繰り返しによって、洗浄対象となるガラス容器に傷をつけてしまったり、また、割れを生じさせてしまう場合がある。また、金属素材が露出した金属線をより合わせて作製したねじりブラシを使用し続けるうちに錆がでるなどして被洗浄物に不純物を付着させる要因ともなり、使用後に毎回十分な乾燥など手間のかかる手入れを行う必要があった。
【０００５】
また、金属線の錆を防止するために、金属線を、例えばポリ塩化ビニル樹脂で被覆されたものとすることも考えられるが、ポリ塩化ビニル樹脂で被覆した被覆金属線からは可塑剤として使用されているＤＥＨＰ（フタル酸ジ−２−エチルヘキシン）などの環境汚染物質が溶出するおそれがある。一方で、他の樹脂被膜によって被覆された被覆金属線を用いて撚り合わせると、被覆膜に割れや欠損などが生じ、ブラシとしての品質を維持することが困難であった。このような事情から、近年の自然環境保護の厳格化に従って、樹脂からの自然環境への有害有機物の溶出防止と、樹脂の被覆膜で被覆された被覆金属線を洗浄用ねじりブラシに加工した後も前記被覆膜に割れや欠損などの被覆不良を生じさせないことを両立させることは困難であった。
【課題を解決するための手段】
【０００６】
そこで、上記課題を解決するための手段として本考案に係る洗浄用ねじりブラシは、ポリエチレン樹脂によって被覆された被覆金属線が複数本撚り合わされてなる軸部と、前記軸部の先端部において、撚り合わされた前記被覆金属線同士の間に挟み込まれて保持され、前記軸部の径方向外方に向かって突設されてなる多数の毛を有することを特徴とする。
【０００７】
なお、複数本の被覆金属線とは、撚り合わされて軸部を構成して互いに密着している被覆金属線の本数によって把握され、軸部を形成する工程において１本の被覆金属線が折り返されて撚り合わせが行われてなるなど、撚り合わせをほどいた状態が、連続する１本の被覆金属線である場合も含まれる。また、ポリエチレン樹脂には色素などの添加物が添加されてもよい。
【０００８】
また、撚り合わされた前記被覆金属線同士が密着する境界部の前後領域において、前記軸部表面に、ポリエチレン樹脂層同士の圧着変形による僅かな盛り上がりが形成されても好ましい。前記境界部の前後領域における軸部表面の僅かな盛り上がりは、各被覆金属線の中央部が形成する軸部の凹凸高さよりは高さの低い盛り上がりである。当該僅かな盛り上がりが形成されてなることによって、軸部の表面の平坦性が従来よりも向上し、軸部を指でつまんだ際に、指への圧力が分散され、軸部の持ち易さが向上する。
【０００９】
さらに、前記軸部が、２本の前記被覆金属線が撚り合わされてなるものであっても好ましい。被覆金属線が２本で撚り合わされて軸部を形成することで、細くて十分な強度を備える軸部を構成することができる。
【考案の効果】
【００１０】
本考案によれば、樹脂からの自然環境への有害有機物の溶出を防止することができた。さらに、樹脂の被覆膜で被覆された被覆金属線を洗浄用ねじりブラシに加工した後も前記被覆膜に割れや欠損などの被覆不良を生じさせないことを両立した洗浄用ねじりブラシを実現することができた。
【００１１】
さらに、ポリエチレン樹脂層同士の圧着変形による前記軸部表面の僅かな盛り上がりを形成することができる。これにより、被覆金属線同士が螺旋状に密着して構成される軸部において軸方向に形成される複数の被覆金属線表面からなる凹凸高さを低く抑えることができる。これにより、軸部の表面の凹凸の平坦性を向上させることができ、本考案に係る洗浄用ねじりブラシを用いれば、洗浄対象となるガラス容器などの割れやすい素材を傷つけたり、割れを生じさせる事態の発生を大きく軽減させることができる。
【図面の簡単な説明】
【００１２】
【図１】洗浄用ねじりブラシ１の全体を示す正面図である。
【図２】被覆金属線２１（２２）の一本の横断面図である。
【考案を実施するための形態】
【００１３】
以下、本考案に係る実施の形態を、図を参照しながら詳しく説明する。図１は本考案に係る洗浄用ねじりブラシ１の全体を示す正面図である。洗浄用ねじりブラシ１は、ポリエチレン樹脂によって被覆された２本の被覆金属線２１，２２によって軸部３が形成されてなる。軸部３の先端部分には、被覆金属線２１，２２によって挟み込まれて保持されて、軸部３の径方向外方に突設された多数本の毛４が設けられてなる。
【００１４】
被覆金属線２１，２２は、被覆金属線２１（２２）の一本を軸に対して垂直に切断した横断面図（図２）に示すように、金属芯２ａの外周面をポリエチレン樹脂層２ｂによって被覆されてなる。
【００１５】
なお、軸部３の先端部は、軸部３の先端からさらに先端方向に延出してなる先端毛束６と共に細紐５が巻き付けられてなり、被覆金属線２１,２２の先端が外部に露出しないように保護されてなる。
【００１６】
なお、本実施形態において、軸部３の持ち手側の基端部はループ７に形成されて被覆金属線２１，２２が互いに連続して形成されてなる。しかし、軸部３は、互いに密着する被覆金属線２１，２２の２本すなわち複数本が撚り合わされてなるものである。
【００１７】
ここで、被覆金属線２１，２２の表面はポリエチレン樹脂によって被覆されてなるため、洗浄用ねじりブラシ１を用いて器具の洗浄を行っても、自然環境への有害有機物の溶出を防止することができる。また、被覆層にポリエチレン樹脂を用いることによって、撚り合わされた軸部３やループ７などの屈曲構造においても被覆膜に割れや欠損などの被覆不良のない軸部３を実現することができる。
【００１８】
さらに、撚り合わされた被覆金属線２１，２２同士が密着する境界部８の前後領域において、図１の二点鎖線円で示す部分拡大図に示すように、ポリエチレン樹脂層同士の圧着変形による前記軸部表面の僅かな盛り上がり９，９が形成されてなる。境界部の前後領域における軸部表面の僅かな盛り上がり９，９は、被覆金属線２１，２２の中央部が形成する軸部の凹凸が形成する凸部１０の高さよりは高さの低い盛り上がりである。
【００１９】
僅かな盛り上がり９，９が形成されてなることによって、軸部３の表面の平坦性が従来よりも向上し、軸部３を指でつまんだ際に、指への圧力が分散され、軸部３の持ち易さが向上する。さらに、僅かな盛り上がり９，９が形成されてなることによって、軸部３の表面の凹凸の平坦性を向上させることができるので、洗浄用ねじりブラシ１を用いれば、洗浄対象となるガラス容器などの割れやすい素材を傷つけたり、割れを生じさせる事態の発生を大きく軽減させることができる。
【符号の説明】
【００２０】
１  洗浄用ねじりブラシ
２１，２２  被覆金属線
３  軸部
４  毛
８  境界部
９  盛り上がり
１０  凸部
【図１】
0003231689.tif 000003
【図２】
0003231689.tif 000004